(57)【要約】【課題】  さや管ヘッダー工法において管継手を支持するのに必要な部品点数を減らして配管作業の効率を高め、簡単な構造で製造コストを廉価化することができ、仕上床板との接続高さがずれていても容易に位置調整が可能な管継手支持構造を提供する。【解決手段】  管継手１の外周面に雄ねじ部１２を形成し、この雄ねじ部１２に螺合して支持ボックス２の上端部に係止する支持リング１３を設ける。支持ボックス２の内周面には、管継手１の雄ねじ部１２に螺合した支持リング１３を係止しうる係止部２３を設けて、支持ボックス２の内側に支持リング１３が内嵌されるようにする。そして、支持リング１３を管継手１の雄ねじ部１２の適宜位置に螺合させることにより、管継手１を所望の高さ位置に支持固定できる構造とする。【選択図】  図１
2006242236.tif 000002
【特許請求の範囲】
【請求項１】
躯体床面と仕上床との間の所定高さ位置に円筒状の支持ボックスが設置され、この支持ボックスに管継手が嵌装されて支持されるとともに、この管継手を嵌装した支持ボックスに固定カバーが外嵌されて抜け止めされる管継手支持構造であって、
管継手の外周面には雄ねじ部が形成されるとともに、この雄ねじ部に螺合して支持ボックスの上端部に係止する支持リングを備え、この支持リングが管継手の雄ねじ部の適宜位置に螺合することによって、管継手が所望の高さ位置で支持固定されることを特徴とする管継手支持構造。
【請求項２】
支持ボックスの内周面には、管継手の雄ねじ部に螺合した支持リングを係止しうる係止部が設けられて、支持ボックスの内側に支持リングが内嵌されることを特徴とする請求項１に記載の管継手支持構造。
【発明の詳細な説明】
【技術分野】
【０００１】
本発明は、さや管ヘッダー工法における管継手の支持構造に関する。
【背景技術】
【０００２】
従来から、さや管ヘッダー工法において、さや管となる樹脂製可撓管を床下に配管施工し、床上の器具へと接続する際に用いられる管継手は、躯体床面に設置された固定座金に立設された支持ボルトに架設された支持具によって支持されている。この従来の支持具は、内部に継手を収納する収納体と、収納体内に収納された継手を抜止め状態に固定する固定リングとを備えている。支持具が設置される躯体床面は、施工精度によってはそれほど平らではなく、凹凸がある場合がある。そこで、この種の支持具は、支持ボルトに挿通された調整座金と、収納体の外周に設けられた鍔部とがビス止めされ、この調整金具の上下に取付られた調整ナットを支持ボルトに対して上下させることによって、支持具の高さ調整を行えるようになっている。そして、このように高さ調整した支持具に対し、その後、仕上材の床貼り工事を行って、仕上床上に配管する直管を接続するようになされていた。
【０００３】
しかし、かかる支持具を使用する場合、継手収納体の高さ調整は床貼りする前に行わなければならず、床貼り後に行うことはできないため、躯体床面の凹凸に気付かずに支持具が設置固定されてしまうと、支持具が仕上床上に突出したり引っ込んでしまったりして、仕上床面へ化粧カバー等を納まりよく設置することができず、もう一度仕上床をはがして、支持具の高さを調整し、仕上床を貼り直すという面倒な作業が必要になっていた。
【０００４】
そこで、最近では躯体床面の凹凸や床施工時の誤差等によって支持具の高さ調整が必要になったときに、床貼り後であってもその高さ調整が行えるように意図された、例えば特許文献１に記載されたような支持具も提案されている。
【０００５】
図２に示すように、この種の支持具８は、躯体床面に固定された固定座金８１と支持ボルト８２１および調整ナット８２２を有する支持台８２の上に、外周面に雄ねじ部８３１が形成され、内周面に雌ねじ部８３２が形成された基台８３と、この基台８３の雌ねじ部８３２に螺合して上下に動き、管継手８５が内側に挿装される調整スリーブ８４と、基台８３の雄ねじ部８３１に螺合して管継手８５を固定する固定リング８６を備えた構成とされている。固定方法は、調整スリーブ８４を基台８３に対して半分程度螺合させた状態としておき、調整スリーブ８４内に管継手８５を挿入する。次に係止爪を設けた止め具８７とビス８８とを用いて、基台８３と床下に配管した可撓管とを接続固定し、この状態で床板を貼るようになされる。
【特許文献１】特許第２６０９９７２号公報
【発明の開示】
【発明が解決しようとする課題】
【０００６】
しかしながら、上記のような支持具８を用いても、床貼り後に高さ調整を行おうとすれば、固定リング８６を取り外してから管継手８５を抜き取り、そして調整スリーブ８４を回転させて高さを調整しなければならず、螺合された部材ばかりで部品点数が多く、調整作業に手間がかかっていた。また、このとき、仕上床よりも支持具が引っ込んでしまっている場合には、調整スリーブ８４が床下にあるため、調整作業が非常にしにくいものであった。加えて、前記支持具８は、基台８３の内外両周面にねじ部を形成しなければならない構成であり、より簡単に低コストで製造でき、かつ容易に高さ調整を行うことのできる管継手の支持構造が求められていた。
【０００７】
そこで本発明は、上記のような問題点にかんがみてなされたものであり、さや管ヘッダー工法において可撓管の継手を支持するのに必要な部品点数を減らして配管作業の効率を高め、簡単な構造で製造コストの廉価化を実現するとともに、仕上床板との接続高さがずれていても容易に位置調整することのできる管継手支持構造を提供するものである。
【課題を解決するための手段】
【０００８】
上記した目的を達成するため、本発明は、躯体床面と仕上床との間の所定高さ位置に円筒状の支持ボックスが設置され、この支持ボックスに管継手が嵌装されて支持されるとともに、この管継手を嵌装した支持ボックスに固定カバーが外嵌されて抜け止めされる管継手支持構造であって、管継手の外周面には雄ねじ部が形成されるとともに、この雄ねじ部に螺合して支持ボックスの上端部に係止する支持リングを備え、この支持リングが管継手の雄ねじ部の適宜位置に螺合することによって、管継手が所望の高さ位置で支持固定されることを特徴とする。
【０００９】
この構成によれば、管継手はその外周面に備えられた支持リングが支持ボックスの上端部に載置されることで支持されるので、この支持リングの螺合位置によって管継手の支持高さを上下に動かすことができる。これにより、管継手の高さ位置を所望の高さに調整するには、床貼り後であっても管継手を引き上げて支持リングを少し回転させて螺合位置を変えるだけで済み、簡単に高さ調整を行うことができる。また、かかる構造とすることで、支持ボックスの内側に従来の支持具にあったような雌ねじ部を形成する必要がなくなって、簡単な構造になり製造コストを低減させることもできる。
【００１０】
また、支持ボックスの内周面には、管継手の雄ねじ部に螺合した支持リングを係止しうる係止部が設けられて、支持ボックスの内側に支持リングが内嵌されることにより、管継手の外周面の支持リングを支持ボックスに納まりよく収容することができ、管継手のがたつきを防いで安定的に保持することができる。
【発明の効果】
【００１１】
上述のように構成される本発明の管継手支持構造によれば、継手を支持するのに必要な部品点数を減らすことができるので、配管作業の効率を高めることができるとともに、管継手の支持高さや仕上床板との接続高さがずれていても容易に高さ調整を行って対応することができる。また、各構成部材も従来の支持具よりも簡単な構造とすることができるので製造コストの廉価化を図ることができる。
【発明を実施するための最良の形態】
【００１２】
以下、本発明に係る管継手支持構造を実施するための最良の形態について、図面を参照しつつ説明する。
【００１３】
図１は本発明の管継手支持構造を示す部分断面図である。本発明の管継手支持構造は、図示しない躯体床面と仕上床４との間において実施される。仕上床４には、さや管の一端が遊動可能に挿通される開口４１が形成され、仕上床４の開口４１の直下には円筒状の支持ボックス２が躯体床面から所定の高さ位置に設置されている。
【００１４】
支持ボックス２は、内周面が直円筒状であり、外周面には雄ねじ部２４が形成されている。支持ボックス２の下部には、左右両側に鍔状に突設された固定板部２１を備え、その両端には、躯体床面に立設された支持ボルト（図示省略）を挿通しうる挿通孔２２が形成されている。この支持ボックス２の内側には管継手１が嵌装され、さらに、この管継手１を嵌装した支持ボックス２の外側雄ねじ部２４に、雌ねじ部３１を内周面に備えた固定カバー３が螺合されて、管継手１が抜け止めされる構成である。
【００１５】
かかる管継手支持構造において、管継手１の外周面には雄ねじ部１２が形成されている。雄ねじ部１２は管継手１の上部に設けられた鍔部１１の下側に、外周面に沿って軸方向に約３０ｍｍ程度の長さの範囲で形成されている。この雄ねじ部１２の形成範囲は、支持ボックス２の高さに合わせて適宜決定され、概ね支持ボックス２の高さの１／２程度の長さ範囲で形成されることが好ましい。
【００１６】
この管継手１の雄ねじ部１２には、外形が円形で環状の支持リング１３が備えられている。この支持リング１３は、内周面に図示しない雌ねじが形成されており、管継手１の雄ねじ部１２に螺合するようになっている。雄ねじ部１２に螺合した支持リング１３は、管継手１と一体となり、管継手１が支持ボックス２の内側に嵌装されると、支持リング１３が支持ボックス２の上端部に載置されて係止し、管継手１を支持することになる。このとき、支持リング１３が管継手１の雄ねじ部１２に螺合した高さ位置によって、管継手１が支持される高さが変わるので、この支持リング１３を躯体床面の凹凸具合に応じて上下させ、適切な高さ位置に螺合することによって、管継手１を所望の高さ位置に支持固定することができる。
【００１７】
また、例示の形態では、管継手１の雄ねじ部１２に螺合した支持リング１３を係止しうる係止部２３が、支持ボックス２の内周面に軸芯方向に突設されている。これにより、支持ボックス２の上端部に、支持リング１３を内側に収容しうる凹部が形成され、納まりよく支持リング１３を内嵌することができるようになっている。
【００１８】
ここで、支持リング１３は、前記したように外形が円形であってもよいが、例えば六角形、八角形など多角形に形成されてもよい。そして、これに対応する係止部２３の内形も同様の多角形に形成されることで、互いに嵌合したとき固定されて回転を阻止し、供回りを防止するように構成することができる。また、雄ねじ部１２および支持リング１３のねじ部を、ともに逆ねじ方向に形成することで、固定カバー３の螺合方向と反対になるので、施工時や高さ調整を行う際の部材の供回りを防止することができる。
【００１９】
以上説明したように、本発明の管継手支持構造では、管継手１が直接支持ボックス２に嵌装されて支持され、さらにこの管継手１に螺合した支持リング１３によって、管継手１の支持高さを上下に動かして高さ調整を容易に行うことができるように構成されている。したがって、床貼りの前後に関わらず、高さ調整が必要になった際にはいつでも、支持ボックス２に嵌装されている管継手１を引き上げ、そのまま外周面に螺合している支持リング１３を回して螺合位置を動かすだけで簡単に高さ調整を行うことができ、支持リング１３の螺合位置を調整した管継手１を支持ボックス２に戻せば、管継手１の位置を所望の高さにすることができる。また、支持ボックスの内周面に係止部が設けられているので、支持ボックスの内側に支持リングが内嵌されて、管継手および支持リングを納まりよく収容することができ、管継手のがたつきを防いで安定的に保持することができるようになる。
【産業上の利用可能性】
【００２０】
本発明に係る管継手支持構造は、さや管ヘッダー工法において水栓を取り付け、床下の配管を接続する管継手の支持構造として好適であり、仕上床の施工後にも容易に高さ調整を行えるようにするために利用することができる。
【図面の簡単な説明】
【００２１】
【図１】本発明に係る管継手支持構造を示す部分断面図である。
【図２】従来の管継手の支持具を示す分解斜視図である。
【符号の説明】
【００２２】
１    管継手
１１  鍔部
１２  雄ねじ部
１３  支持リング
２    支持ボックス
２１  固定板部
２２  挿通孔
２３  係止部
３    固定カバー
４    仕上床
【図１】
2006242236.tif 000003
【図２】
2006242236.tif 000004